(57)【要約】      （修正有）【課題】子供でも短時間で正確なＸ線撮影が可能な歯科撮影用Ｘ線撮影用ホルダー及びキャラクターパックを提供する。【解決手段】Ｘ線フィルム１はＸ線は透過するが他の自然光、電灯の光等は遮光する第１、第２、第３のシート２，３，４で蔽われている。第３のシート４には現像剤注入穴Ｄ２が設けてある。第１のシート２には味覚ペースト５が塗られている。味覚ペースト５はフルーツのキシリトール入りである。これにより、子供の歯科Ｘ線撮影への協力度を高め得る。【選択図】図２
0003134693.tif 000002
【実用新案登録請求の範囲】
【請求項１】
Ｘ線フィルムを複数シートで蔽って密封し、複数シートに現像液の注入用の経路を設けた歯科Ｘ線撮影用ホルダーにおいて、
Ｘ線フィルムと、
Ｘ線フィルムの全部を蔽いＸ線フィルムよりも大きい第１のシートと、
第１のシートに対してＸ線フィルムを間にしてＸ線フィルムを蔽う第２、第３のシートであって第２、第３のシートを併せて第１のシートと外形が同一のシートとなるように第２のシートの上に第３のシートを重ね、第１のシートの外周に相当する部分において第１のシートの縁に縁を重ねて各縁を熱溶着された第２、第３のシートと、
第２、第３のシートの重ねられた部分に設けられた現像液注入経路と、
第３のシートの現像液注入経路に相当する部分を除いて何れかのシートに設けられたキシリトールを有するキャンデイと、
を有することを特徴とする歯科Ｘ線撮影用ホルダー。
【請求項２】
表面に結晶にされたキシリトールの粉末を付着させたキャンデイを有することを特徴とする請求項１に記載の歯科Ｘ線撮影用ホルダー。
【請求項３】
キシリトールを有するキャンデイを第１のシートに固着させたことを特徴とする請求項１又は２に記載の歯科Ｘ線撮影用ホルダー。
【請求項４】
キシリトールを有するキャンデイを歯科Ｘ線撮影用ホルダーの縁を蔽って縁を丸めるように設けたことを特徴とする請求項１又は２に記載の歯科Ｘ線撮影用ホルダー。
【請求項５】
請求項１からは４の何れか１つの歯科Ｘ線撮影用ホルダーを夫々１つ宛収容可能で夫々表面に異なるキャラクターを表した小袋を複数平面状に配列してなるキャラクターパック。
【考案の詳細な説明】
【技術分野】
【０００１】
この考案は歯科用Ｘ線フィルムを遮光性包装部材で密封した歯科Ｘ線撮影用ホルダー及びキャラクターパックに関する。
【背景技術】
【０００２】
歯科Ｘ線撮影用ホルダー（以下、ホルダーという）は増感フィルムを光を遮断する保護シートで覆った上、保護シートの周縁を重ねて保護シートの周縁を溶着している。
【０００３】
このようなホルダーは大人用と小児用とが口腔内挿入型として用いられている。
【０００４】
口腔内に挿入するホルダーは方形である。そしてホルダーの各々の角は丸められている。
【０００５】
このようなホルダーは口腔内面側に入れて歯の裏側に当て直接患者が指で押えて保持するか、Ｘ線撮影装置に複助具を介して取り付け患者の歯の裏側に当て複助具でもってホルダーを保持してＸ線撮影をしている。
【特許文献１】特表平３−５００９３６
【特許文献２】特開２０００−１０２５３５
【考案の開示】
【考案が解決しようとする課題】
【０００６】
歯科治療では幼児によっては、治療を嫌がることも間々有る。そして、幼児に治療を納得させるまでに歯科医としては根気とあやす才覚を要する。
【０００７】
歯科のＸ線検査は子供に格別に苦痛を与えるものではないが、これを理解させることは困難である。何故なら幼児は歯科治療というものは人生経験で始めて遭遇する際において、特に口腔に何かをされる訳であるから、どのように説明した処で、気持の上で納得できない。
【０００８】
この考案は格別な手段を用いることなく、子供でも短時間で正確なＸ線撮影が可能な歯科撮影用Ｘ線撮影用ホルダー及びキャラクターパックを提供することを目的とする。
【課題を解決するための手段】
【０００９】
この考案の第１の考案はＸ線フィルムを複数シートで蔽って密封し、複数シートに現像液の注入用の経路を設けた歯科Ｘ線撮影用ホルダーにおいて、
Ｘ線フィルムと、
Ｘ線フィルムの全部を蔽いＸ線フィルムよりも大きい第１のシートと、
第１のシートに対してＸ線フィルムを間にしてＸ線フィルムを蔽う第２、第３のシートであって第２、第３のシートを併せて第１のシートと外形が同一のシートとなるように第２のシートの上に第３のシートを重ね、第１のシートの外周に相当する部分において第１のシートの縁に縁を重ねて各縁を熱溶着された第２、第３のシートと、
第２、第３のシートの重ねられた部分に設けられた現像液注入経路と、
第３のシートの現像液注入経路に相当する部分を除いて何れかのシートに設けられたキシリトールを有するキャンデイと、
を有することを特徴とする歯科Ｘ線撮影用ホルダーである。
【００１０】
この考案の第２の考案は表面に結晶にされたキシリトールの粉末を付着させたキャンデイを有することを特徴とする第１の考案に記載の歯科Ｘ線撮影用ホルダーである。
【００１１】
この考案の第３の考案はキシリトールを有するキャンデイを第１のシートに固着させたことを特徴とする第１又は第２の考案に記載の歯科Ｘ線撮影用ホルダーである。
【００１２】
この考案の第４の考案はキシリトールを有するキャンデイを歯科Ｘ線撮影用ホルダーの縁を蔽って縁を丸めるように設けたことを特徴とする第１又は第２の考案に記載の歯科Ｘ線撮影用ホルダーである。
【００１３】
この考案の第５の考案は第１からは第４の考案の何れか１つの歯科Ｘ線撮影用ホルダーを夫々１つ宛収容可能で夫々表面に異なるキャラクターを表した小袋を複数平面状に配列してなるキャラクターパックである。
【考案の効果】
【００１４】
請求項１に係る考案によれば、子供がぐずついてＸ線撮影に取りかかれない、Ｘ線撮影を始めた際にいやがって動いてしまうということがキシリトールを有するキャンデイの味覚により機嫌を損ねることなく速く安全にＸ線撮影ができる。
【００１５】
請求項２に係る考案によれば、キャンデイは表面にキシリトールの粉末を付着させてあるので清涼感が直ちに出る。また、医療現場でキシリトール粉末をキャンデイに施すこともできる。
【００１６】
請求項３に係る考案によれば、キャンデイが第１のシートに固着しているので現像液の注入経路に誤ってキャンデイが付着する恐れは小さく、製造の障害とならない。また、キャンデイを付着する範囲を第１のシート全体又は一部とキャンデイ施工の範囲を自在に選択可能である。
【００１７】
請求項４に係る考案によれば、歯茎にくい込むＸ線撮影用ホルダーの縁はキシリトール入りのキャンデイにより丸められていることにより、歯茎がＸ線撮影用ホルダーにより圧せられることが緩和されると共に唾液によってキャンデイが溶け易く、患者は甘味を直ぐに感ずることができる。
【００１８】
請求項５に係る考案によれば、Ｘ線撮影の意味があまりわからない子供にかわいいキャラクターパックにＸ線撮影用ホルダーを入れて選ばせ、キャラクターやキャンデイの味で小児の気を引いて検査治療への協力度を高めれば短期間の正確な撮影の成功率が高まる。それを見たお母さん方が喜び、口こみで歯科医院の評判の向上に寄与する。
【実施例】
【００１９】
（実施例１）
以下、この考案の実施例を図面に従って説明する。
【００２０】
図１は子供用歯科Ｘ線撮影用ホルダー（以下、ホルダーという）Ｈの平面図、図２は図１のＡ−Ａ断面図、図３は図２のＢ−Ｂ断面図である。
【００２１】
このホルダーＨは子供の口腔に入れ易いように小さく作られているほかこの考案が施されている。このホルダーＨはＸ線フィルム１、第１のシート２、第２のシート３、第３のシート４、味覚ペースト５からなっている。
【００２２】
歯科用Ｘ線フィルム（以下、フィルムという）１は第１、第２、第３の合成樹脂製シートで蔽われている。この合成樹脂製シートは可視光を含む通常の光線は遮光するがＸ線は透過する材料で作られていることは周知である。
【００２３】
フィルム１は方形である。平面でみてフィルム１と同形の第１のシート２はフィルム１の下側を全部覆うと共にその縁２ａはフィルム１の縁部１ａよりも外側にある。第１のシート２の四つの角は丸められている。即ち第１のシート２はフィルム１よりも大きい。
【００２４】
フィルム１の右方端の部分１ｂを残してフィルム１を覆う第２のシート３の３方の縁３ａは第１のシート２の縁２ａと溶着されている。第２のシート３の２つの角３ｃは丸められている。この角３ｃは平面で見て第１のシート２の２つの角と一致しているが、第２のシート３の残りの角は直角で丸められていない。第２のシート３のフィルム１の部分１ｂにのぞむ縁３ｂは他の部分に溶着されていない。フィルム１の右方端の部分１ｂ及び第２のシート３の一部を覆う第３のシート４はその三方の縁４ａの一部が連続して第１のシート２の縁２ａと溶着されている。この溶着範囲Ｚ１は図１において点Ｋ１〜Ｋ２の間である。上記溶着部に対して反対側の点Ｋ１〜Ｋ２の間の縁４ａ，４ｂは何処へも溶着されていない。図３に示すように点Ｋ１と第２のシートの縁３ｂ間の溶着範囲Ｚ２、点Ｋ２と第２のシートの縁３ｂ間の溶着範囲Ｚ３では第１のシート２の縁２ａ、第２のシート３の縁３ａ、第３のシート４の縁４ａが重ねて溶着されている。
【００２５】
即ち、第２、第３のシート３，４は第１のシート２に対してＸ線フィルム１を間にしてＸ線フィルム１を蔽い第２、第３，４のシートを併せて第１のシート２と外形が同一のシートとなるように第２のシート３の上に第３のシート４を重ね、第１のシート２の外周に相当する部分において第１のシート２の縁に第２、第３のシート３，４の縁を重ねて各縁を熱溶着されている。
【００２６】
図１、図３に示すように点Ｋ１〜Ｋ２にはパターンＪで第２のシート３と第３のシート４が溶着されている。パターンＪはホルダーＨの長手方向の辺に対して直角な方向に対して約１５度斜設した方形部Ｊ１と、方形部Ｊ１の角Ｊ２と点Ｋ１を結ぶ溶着部Ｊ４、方形部Ｊ１の角Ｊ３と点Ｋ２を結ぶ溶着部Ｊ５を有する。方形部Ｊ１の短辺Ｊ６は第２のシート３に対して第３のシート４は加圧されているだけで溶着されていない。パターンＪは点Ｋ１〜Ｋ２間は連続して第２のシート３と第３のシート４が溶着されているので、第２のシート３の縁３ｂ側はパターンＪと範囲Ｚ１で囲まれた中にある。
【００２７】
パターンＪの方形部Ｊ１の中は現像液通路Ｄ１となっている。現像液通路Ｄ１の短辺（密着部）Ｊ６とは反対側の短辺Ｊ７寄りには第３のシート４に現像液注入穴Ｄ２が設けてある（図１参照）。この穴Ｄ２は現像液を注入する注射器の針で押し広げられる大きさとなっている。パターンＪの図１において左の第３のシート４は何処へも溶着されていない。従って、縁４ｂを指でつまんで図１の紙面から立上るように引き起こせるのでホルダーＨの他の部分に指を触れることなく、ホルダーＨを保持できる。また、Ｘ線フィルム１を現像後に第３のシート４を第１、第２のシート２，３から剥すのに便利である。
【００２８】
第１のシート２の外面には全周の縁２ａを残して全面又は一部に味覚ペースト５が附着してある。味覚ペースト５としては子供の好むフルーツのキシリトール入りペーストが好適である。
【００２９】
キシリトールは自然界に存在する天然の５炭糖の糖のアルコールであり、通常樺の木やその他の樫木のキシラン・ヘミセルロースを原料として作られる。キシリトールはすべての糖アルコールの中で最も甘く、砂糖と同等の甘味度である。キシリトールは溶解時に吸熱反応が起こり、口の中でたいへん爽やかな冷涼感が得られる。ミントフレーバーと併用した場合特に顕著にその効果が現れる。キシリトールのカロリーは砂糖の７５％（３ｋｃａｌ／ｇ）である。
【００３０】
キシリトールが口腔内細菌に対して非発酵性であり、虫歯菌を減少させ、歯質の再石灰を促進することは周知である。
【００３１】
味覚ペースト５はチューブ入りとしておいて、Ｘ線撮影前に第１のシート２に塗布するのが味覚の点から好適である。特に、撮影前に味覚ペースト５を第１のシート２に塗布すると、特に「におい」の良いペーストの場合に好適である。
【００３２】
医療現場でホルダーにペーストを塗るのはわずらわしく、ペーストを他の部分に附着される恐れもある。そこで、ペーストは固化する物を予め塗って固化後使用する方がよい。
【００３３】
医療現場で施工するのは味覚ペーストに限らず、キャンデイであればよい。ペーストに限らず、ペーストを含めた意味のキャンデイにおいて、キャンデイの表面に結晶されたキシリトールの粉末を付着させてもよい。キシリトール粉末とすることにより医療現場で少なくともキシリトール粉末をキャンデイの表面に容易に塗布出来る。また工場生産においてもキャンデイの表面に結晶されたキシリトールの粉末を付着させ得る。
【００３４】
キシリトールを有するキャンデイを付着することができるのは、第３のシート４の現像剤注入通路を構成するパターンＪ内の表面を除くと、何処でも可能である。
【００３５】
しかし、第１のシート２にキャンデイを予め付着させる。又は医療現場で第１のシート２にキシリトール入りキャンデイの味覚ペースト５を施工して用いる等が好適である。
【００３６】
キャンデイは子供が喜ぶ例えばフルーツ味等が好適である。
【００３７】
口腔内にホルダーＨを入れ味覚ペースト５側を歯の裏側に沿わせて当てる。このとき患者は味覚ペースト５を味わう。味覚ペースト５は主としてキシリトールであるため、甘味と清涼感及びフルーツ味を味わうので、ホルダーＨが口腔内に入れられるときの不安感が和らいだり、解消したりする。従って、以後、歯科治療に対する嫌悪感を生ずることを予防できる。
【００３８】
この状態で歯のＸ線撮影を行う。撮影後に口腔内から取出したホルダーＨは現像液注入穴Ｄ２から現像液の入った注射器の針を現像液通路Ｄ１に沿うように差し込む。パターンＪは図２に示すように第３のシート４上面に対して凹溝（Ｊ１，Ｊ７）となっている。現像液注入穴Ｄ２は短辺Ｊ７が近く、短辺Ｊ７が凹溝となっているので、注射針を現像液通路Ｄ１に沿うように差し込むのは容易である。現像液通路Ｄ１に注射針を差し込み注射針の先端が密着部Ｊ６に近づくと短辺（密着部）Ｊ６で第２のシート３と第３のシート４が密着していたのが、密着状態から小隙間の状態となる。この小隙間が生じない場合でも、現像液が注入されると、現像液の圧力で短辺（密着部）Ｊ６は開き、現像液は第２のシート３、第３のシート４間をとおり、フィルム１の部分１ａ側に流れ、フィルム１と第１のシート２、第２のシート３及び第３のシート４側の隙間に流入して現像が行われる。
（実施例２）
実施例１に対して更にペーストを附加する。又は実施例１とは別にペーストを施した例である。
【００３９】
ホルダーＨの外周は縁２ａに縁３ａ又は縁４ａを重ねた部分と縁２ａ，３ａ，４ａを重ねた部分で何れも熱溶着されている。
【００４０】
第１のシート２、第２のシート３、第３のシート４は合成樹脂シートであって材質がポリ塩化ビニール、ポリエチレン、等が多用されている。このようなシートを重ねて熱溶着すると加圧加熱によって減容すると共に剛性が生じてホルダーの全周は厚さが薄くなり歯肉部分に当るとくい込み痛みを感じることが間々ある。
【００４１】
実施例２では図４に示すようにホルダーＨの周囲の一部又は全部において、縁２ａと３ａ、縁２ａと４ａ、縁２ａ，３ａ，４ａの重なった部分を蔽い丸縁状に味覚ペースト６を施す。特に歯肉に当る縁２ａ，３ａは丸縁の味覚ペースト６を施すとよい。この味覚ペースト６の材質は前記味覚ペースト５と同様である。この味覚ペースト６もＸ線撮影の直前にホルダーＨの周囲に塗布してもよい。また、固化性の味覚ペースト６を塗布して固化してもよい。
（実施例３）
実施例３は歯科Ｘ線撮影に対する子供の協力を得るためのものである。
【００４２】
図５はキャラクターパック８の例を示す正面図である。厚紙、又は合成樹脂薄板で方形の台紙９にはホルダーＨの入り得る小袋１１〜１６の夫々は縁１７から下方が袋状であっておもてシート１８と裏シート１９間にホルダーＨの長手方向の約半分が収容される。裏シート１９は縁１７よりも上方へ延びている。小袋１１〜１６は紙又は合成樹脂フィルムで作られており同寸同形である。
【００４３】
おもてシート１８には夫々子供が喜びそうなキャラクターが示されている。上段の小袋１１には猫、小袋１２には可愛い女の子の顔、小袋１３にはうさぎの絵が設けてある。下段の小袋１４にはさくらんぼ、小袋１５にはいちご、小袋１６にはバナナが表示されている。
【００４４】
上段の小袋１１〜１３の猫、女の子の顔、うさぎはペット又は人形遊びの感覚であり、小段の小袋１４〜１６のさくらんぼ、いちご、バナナは味覚を示している。上段の小袋１１〜１３に入っているホルダーＨの味覚ペースト５，６の味覚は特定する必要はないが下段の小袋１４〜１６は夫々が果物であるので小袋１４〜１６に入っているホルダーＨでは小袋１４に入っているホルダーＨの味覚ペースト５，６はさくらんぼ風の味、小袋１５に入っているホルダーＨの味覚ペースト５，６はいちご味、小袋１６に入っているホルダーＨの味覚ペースト５，６はバナナ味風とすればよい。
【００４５】
子供にこれを選択させることにより、歯科Ｘ線撮影に対して好感度を与え、撮影への協力を高めることができる。
【図面の簡単な説明】
【００４６】
【図１】歯科Ｘ線撮影用ホルダーの実施例１の平面図である。
【図２】図１のＡ−Ａ断面図である。
【図３】図２のＢ−Ｂ断面図である。
【図４】実施例２の縦断面図である。
【図５】キャラクターパックを示す正面図である。
【符号の説明】
【００４７】
１…Ｘ線フィルム  １ａ…縁部  １ｂ…部分
２…第１のシート  ２ａ…縁
３…第２のシート  ３ａ，３ｂ…縁  ３ｃ…角
４…第３のシート  ４ａ，４ｂ…縁
５，６…味覚ペースト
８…キャラクターパック
９…台紙
１１〜１６…小袋
１７…縁
１８…おもてシート
１９…裏シート
Ｄ１…現像液通路  Ｄ２…現像液注入穴
Ｈ…ホルダー
Ｊ…パターン  Ｊ１…方形部  Ｊ２，Ｊ３…角  Ｊ４，Ｊ５…溶着部  Ｊ６…短辺（密着部）  Ｊ７…短辺
Ｋ１〜Ｋ２…点
Ｚ１〜Ｚ３…溶着範囲
【図１】
0003134693.tif 000003
【図２】
0003134693.tif 000004
【図３】
0003134693.tif 000005
【図４】
0003134693.tif 000006
【図５】
0003134693.tif 000007